(57)【要約】【課題】コンバインにおいて、ラジエータの防塵ネットの塵埃を確実に除去する。【解決手段】エンジン（Ｅ）の外側に冷却ファン（１２）を設け、冷却ファン（１２）の外側にラジエータ（１３）を設け、ラジエータ（１３）の外側にラジエータ（１３）の一側から他側に向けて移動する無端帯状の回転防塵ネット（２１ｃ）を設け、回転防塵ネット（２１ｃ）の全幅に亘って摺接する除塵用ブラシ（２５）を設ける。また、ラジエータ（１３）の全面を覆う回転防塵ネット（２１ｃ）を横向き姿勢の上下の回転軸（２１ａ，２１ｂ）により上下方向に移動するように巻回支持するか、又は、縦向き姿勢の左右の回転軸（２１ａ，２１ｂ）により左右方向に移動するように巻回支持し、除塵用ブラシ（１５）を回転防塵ネット（２１ｃ）の全幅に摺接するように回転軸（２１ａ，２１ｂ）の近傍に配置する。【選択図】図４
2012111453.tif 000002
【特許請求の範囲】
【請求項１】
操縦部（４）と、脱穀部（６）と、グレンタンク（５）と、刈取搬送部（８）と、これらを駆動するエンジン（Ｅ）とを備えたコンバインにおいて、前記エンジン（Ｅ）の外側に冷却ファン（１２）を設け、該冷却ファン（１２）の外側にラジエータ（１３）を設け、該ラジエータ（１３）の外側にラジエータ（１３）の一側から他側に向けて移動する無端帯状の回転防塵ネット（２１ｃ）を備えた回転式除塵装置（２１）を設け、前記回転防塵ネット（２１ｃ）の全幅に亘って摺接する除塵用ブラシ（２５）を設けたことを特徴とするコンバイン。
【請求項２】
前記ラジエータ（１３）を冷却風の流れる方向から見て矩形に形成し、前記ラジエータ（１３）の全面を覆う回転防塵ネット（２１ｃ）を横向き姿勢の上下の回転軸（２１ａ，２１ｂ）により上下方向に移動するように巻回支持するか、あるいは、縦向き姿勢の左右の回転軸（２１ａ，２１ｂ）により左右方向に移動するように巻回支持し、前記除塵用ブラシ（１５）を回転防塵ネット（２１ｃ）の全幅に摺接するように前記回転軸（２１ａ，２１ｂ）の近傍に配置したことを特徴とする請求項１に記載のコンバイン。
【請求項３】
前記回転式除塵装置（２１）の近傍に回転防塵ネット（２１ｃ）駆動用のモータ（２３）及び伝動装置（２４）を配置するにあたり、該モータ（２３）及び伝動装置（２４）を冷却ファン（１２）による冷却風の流れる方向から見てラジエータ（１３）の周辺部側方に配置したことを特徴とする請求項１または請求項２に記載のコンバイン。
【発明の詳細な説明】
【技術分野】
【０００１】
この発明は、コンバインに関するものである。
【背景技術】
【０００２】
コンバインにおけるラジエータの防塵網除塵装置において、防塵網を通過する吸入風を部分的に遮蔽する吸入風遮蔽板を防塵網の内側面に接近させて設け、吸入風遮蔽板を防塵網の内側面に沿って直線状に往復移動させる駆動装置を設け、防塵網の外側面上の塵埃を吸引する塵埃吸引口を吸入遮蔽板の往復移動経路の端部に設け、塵埃吸引口から冷却ファンに至る副吸引風路を除塵網からラジエータを通過して冷却ファンに至る主吸引路から分離して設けたものは、公知である（特許文献１）。
【先行技術文献】
【特許文献】
【０００３】
【特許文献１】特開２０１０−１９５３６８号公報
【発明の概要】
【発明が解決しようとする課題】
【０００４】
前記背景技術では、ラジエータカバーの網部に沿って遮風プレートを直線状に往復移動させ、網部における冷却ファンの吸引風の影響を弱め、遮風プレートと網面との間に風を送り、網面の外側に付着した藁屑類や塵埃を吹き飛ばすもので、塵埃除去風力が弱く、また、遮風プレートの面積が狭いために、吹き飛ばした塵埃が冷却ファンの吸引風により再び網面に引き付けられて付着することがあり、除塵効果を高められない問題があった。
【０００５】
そこで、この発明はこのような問題点を解決し、防塵ネット全面の塵埃を確実に除去しようとするものである。
【課題を解決するための手段】
【０００６】
この発明は、このような課題を解決するために、次の技術的手段を講じた。
請求項１に記載の発明は、操縦部（４）と、脱穀部（６）と、グレンタンク（５）と、刈取搬送部（８）と、これらを駆動するエンジン（Ｅ）とを備えたコンバインにおいて、前記エンジン（Ｅ）の外側に冷却ファン（１２）を設け、該冷却ファン（１２）の外側にラジエータ（１３）を設け、該ラジエータ（１３）の外側にラジエータ（１３）の一側から他側に向けて移動する無端帯状の回転防塵ネット（２１ｃ）を備えた回転式除塵装置（２１）を設け、前記回転防塵ネット（２１ｃ）の全幅に亘って摺接する除塵用ブラシ（２５）を設けたことを特徴とするコンバインとする。
【０００７】
請求項２に記載の発明は、前記ラジエータ（１３）を冷却風の流れる方向から見て矩形に形成し、前記ラジエータ（１３）の全面を覆う回転防塵ネット（２１ｃ）を横向き姿勢の上下の回転軸（２１ａ，２１ｂ）により上下方向に移動するように巻回支持するか、あるいは、縦向き姿勢の左右の回転軸（２１ａ，２１ｂ）により左右方向に移動するように巻回支持し、前記除塵用ブラシ（１５）を回転防塵ネット（２１ｃ）の全幅に摺接するように前記回転軸（２１ａ，２１ｂ）の近傍に配置したことを特徴とする請求項１に記載のコンバインとする。
【０００８】
請求項３に記載の発明は、前記回転式除塵装置（２１）の近傍に回転防塵ネット（２１ｃ）駆動用のモータ（２３）及び伝動装置（２４）を配置するにあたり、該モータ（２３）及び伝動装置（２４）を冷却ファン（１２）による冷却風の流れる方向から見てラジエータ（１３）の周辺部側方に配置したことを特徴とする請求項１または請求項２に記載のコンバインとする。
【発明の効果】
【０００９】
請求項１に記載の発明によると、冷却ファン（１２）が回転すると、回転式除塵装置（２１）の回転式防塵ネット（２１ｃ）を通過して除塵された冷却風がラジエータ（１３）側に流れ、このラジエータ（１３）を冷却することができる。また、回転式防塵ネット（２１ｃ）を回転させると、その全幅に摺接しているブラシ（２５）によって、回転式防塵ネット（２１ｃ）の略全面に付着している塵埃を掻き落すことができ、ラジエータ（１３）及びエンジン（Ｅ）の冷却効率を良好に維持することができる。
【００１０】
請求項２に記載の発明によると、上記請求項１に記載の発明の効果に加えて、回転防塵ネット（２１ｃ）が略矩形のラジエータ（１３）の上下一側から上下他側へ、あるいは、左右一側から左右他側へ移動することにより、回転防塵ネット（２１ｃ）上のラジエータ（１３）に対向する全面の塵埃をブラシ（２５）で除去し、ラジエータ（１３）及びエンジン（Ｅ）の冷却効率を高めることができる。
【００１１】
請求項３に記載の発明によると、上記請求項１または請求項２に記載の発明の効果に加えて、冷却ファン（１２）による冷却風の流れる方向から見てラジエータ（１３）の周辺部側方にモータ（２３）及び伝動装置（２４）を配置したので、これらがラジエータ（１３）に流れる冷却風の障害とならず、ラジエータ（１３）及びエンジン（Ｅ）の冷却効率を高めることができる。
【図面の簡単な説明】
【００１２】
【図１】コンバインの側面図である。
【図２】コンバインの平面図である。
【図３】エンジン冷却構成の切断平面図である。
【図４】エンジン冷却構成の側面図、正面図である。
【図５】回転式除塵装置の側面図、正面図である。
【図６】回転式除塵装置の側面図、正面図である。
【図７】回転式除塵装置の側面図、正面図である。
【図８】回転式除塵装置の側面図、正面図である。
【図９】回転式除塵装置の側面図、正面図である。
【図１０】回転式除塵装置の側面図、正面図である。
【発明を実施するための形態】
【００１３】
以下、図面に示すこの発明の実施例について説明する。まず、図１及び図２に基づき、コンバインの全体構成について説明する。
コンバイン１の走行車体２の下方には、左右一対のクローラ走行装置３，３を配置し、走行車体２の右前側部に操縦部４を、その後方にグレンタンク５を配置し、左側部に脱穀部６を配置し、脱穀部６及びグレンタンク５の後方に排稾処理装置７を配置している。操縦部４及び脱穀部６の前方には、植立穀稈を分草引起しながら刈り取り後方の脱穀部６に向けて搬送する刈取搬送部８を昇降自在に設けている。
【００１４】
次に、図３乃至図１０に基づきラジエータ１３の回転式除塵装置２１の除塵構成ついて説明する。
操縦部４の運転席１０の下方部にエンジンルーム１１を設け、エンジンルーム１１内にエンジンＥを配置している。エンジンＥの進行方向右外側に冷却ファン１２を軸架し、冷却ファン１２の右外側にラジエータ１３を配置し、ラジエータ１３の上方にオイルクーラ及びインタクーラを配置している。
【００１５】
そして、エンジンルーム１１の外側枠体にラジエータカバー１４を着脱自在に取り付けてラジエータ１３を被覆し、ラジエータカバー１４の外側に枠体１５を取り付け、枠体１５の周辺部でラジエータ１３の周辺部前側部を被覆し、枠体１５の中央部にラジエータ１３の外側面中央部に対向する通風開口部１５ａを構成している。
【００１６】
図４に示すように、ジエータ１３の外側部には回転式除塵装置２１を対向配置している。この回転式除塵装置２１は、ラジエータカバー１４の上下には前後横方向に沿うように軸支している回転軸２１ａ，２１ｂと、回転軸２１ａ，２１ｂに巻回している無端帯状の回転防塵ネット２１ｃとで構成している。そして、モータ２３の回転動力を、伝動装置２４を介して上側の回転軸２１ａに伝達し、回転防塵ネット２１ｃを上下方向に回転可能に構成している。
【００１７】
また、上側の回転軸２１ａあるいは下側の回転軸２１ｂのいずれかの近傍に回転防塵ネット２１ｃの全幅に摺接するブラシ２５を設け、回転防塵ネット２１ｃに付着した塵埃を掻き落すようにしている。
【００１８】
また、図６に示すように、ブラシ２５で掻き落した塵埃をダクト２９で回転式除塵装置２１の内側下方へ案内落下し、ラジエータ１３の下方を通してエンジンＥへ流れる冷却風により機外へ排出するようにしている。
【００１９】
前記構成によると、冷却ファン１２を回転すると、枠体１５の通風開口部１５ａから冷却風が内側に流れ、回転式除塵装置２１の回転式防塵ネット２１ｃを通過し除塵され、次いで、ラジエータ１３に流れラジエータ１３を冷却する。
【００２０】
また、モータ２３により回転防塵ネット２１ｃを回転しながら縦方向上方あるいは下方に移動させると、回転防塵ネット２１ｃの全幅に摺接しているブラシ２５により付着している塵埃を掻き取り除去し、ラジエータ１３への冷却風の流れを良好にすることができる。
【００２１】
また、ラジエータカバー１４の回転軸２１ａ，２１ｂの近傍にモータ２３を取り付けるにあたり、図４に示すように、ラジエータ１３への冷却風の送風方向から見てラジエータカバー１４の端部におけるラジエータ１３の周辺部側方にモータ２３を配置し、モータ２３の後側一部（図４Ｂの左側）を回転式防塵ネット２１ｃの上方に位置するようにしてラジエータカバー１４に取り付け、モータ２３の前側部（図４Ｂの右側）及びモータ軸２３ａをラジエータ１３から前側に突出し、モータ軸２３ａから伝動装置２４を下方に延出し回転軸２１ａを駆動するようにしている。しかして、ラジエータ１３の冷却風流れ方向から見てラジエータ１３の周辺ぶの狭い空間部にモータ２３及び伝動装置２４を配置できる。
【００２２】
また、図７に示すように、同様にしてモータ２３及び伝動装置２４を回転式防塵ネット２１ｃの下方周辺部に配置してもよい。
また、図８乃至図１０に示すように、ラジエータカバー１４の前後に回転軸２１ａ，２１ｂを上下縦方向に沿うように軸支し、回転軸２１ａ，２１ｂに無端帯状の回転防塵ネット２１ｃを巻回し、前方あるいは後方に回動するように構成している。そして、回転防塵ネット２１ｃの前側の回転軸２１ａあるいは後側の回転軸２１ｂ近傍に、該回転防塵ネット２１ｃの全幅にわたってブラシ２５を配置し、塵埃を掻き取るように構成してもよい。
【００２３】
また、ラジエータカバー１４の前方あるいは後方の回転軸２１ａ，２１ｂ近傍で且つラジエータ１３の周辺部側方にモータ２３を配置し、伝動装置２４により動力を伝達するようにし、モータ２３によるラジエータ１３への冷却風の流れを阻害しないようにする。
【００２４】
また、回転防塵ネット２１ｃ回転駆動用の回転軸２１ａ，２１ｂを駆動するにあたり、図６に示すように、冷却ファン軸１２ａからクラッチ２４ａ付きの伝動装置２４を分岐し、また、前後横方向あるいは上下縦方向に沿わせて軸架した回転軸２１ａ，２１ｂの一端をラジエータ１３の周辺部側方まで延出する。そして、伝動装置２４の動力を、ギヤボックス２７を経由して回転軸２１ａ，２１ｂのいずれか一方へ伝達し、回転防塵ネット２１ｃを駆動するように構成してもよい。
【符号の説明】
【００２５】
２      走行装置
３      クローラ走行装置
４      操縦部
５      脱穀部６
５      グレンタンク
８      刈取搬送部
１２      冷却ファン
１２ａ    冷却ファン軸
１３      ラジエータ
２１ｃ    回転防塵ネット
２１      回転式除塵装置
２１ａ    回転軸
２１ｂ    回転軸
２３      モータ
２４      伝動装置
２５      除塵用ブラシ
Ｅ      エンジン
【図１】
2012111453.tif 000003
【図２】
2012111453.tif 000004
【図３】
2012111453.tif 000005
【図４】
2012111453.tif 000006
【図５】
2012111453.tif 000007
【図６】
2012111453.tif 000008
【図７】
2012111453.tif 000009
【図８】
2012111453.tif 000010
【図９】
2012111453.tif 000011
【図１０】
2012111453.tif 000012